(57)【要約】【課題】レーザービームプリンタや複写機等で、レーザースキャニングに利用されるポリゴンミラースキャナモータにおいて、ロータボス座面の平面度がポリゴンミラーを固定する前段階での組立工程によるダレ、変形などによって高精度に保たれていない場合に発生するジッタ、面倒れ特性の悪化を防止することを目的とする。【解決手段】ロータボス座面６ａの形状を内周から外周へ向けて高く構成したオフセット機能を有するテーパ形状とした。【選択図】図１
2006293203.tif 000002
【特許請求の範囲】
【請求項１】
ロータボスに設けられた円周形状のロータボス座面に多角形のポリゴンミラーを搭載する回転体において、前記ロータボス座面の形状を内周から外周へ向けて高く構成したオフセット機能を有するテーパ形状とするように形成したポリゴンミラースキャナモータ。
【請求項２】
前記ロータボスに設けられたカシメ部が前記ロータボス座面の内周側に存在するように形成した請求項１に記載のポリゴンミラースキャナモータ。
【発明の詳細な説明】
【技術分野】
【０００１】
本発明はレーザービームプリンタや複写機等で使用され、レーザースキャニングに利用される高速回転を有するポリゴンミラースキャナモータに関するものである。
【背景技術】
【０００２】
従来、この種のポリゴンミラースキャナモータは、高精度印字という点から、多角形のポリゴンミラーを回転体に設けられたロータボス座面に搭載する取り付け構造において、前記ロータボス座面は高い精度の平面度を要する。そのため前記ロータボス座面は精度の高い平面度にてフラットに加工されている（例えば、特許文献１参照）。
【０００３】
図３は、前記特許文献１に記載された従来のポリゴンミラースキャナモータを示すものである。図３において、回転軸１は基板２に固定された軸受３の内径孔に対して回転可能に支持されると共に、ポリゴンミラー４と接する外周方向エッジ部５を有するロータボス６が焼きバメにより締結されている。そしてロータボス６の上部にはポリゴンミラー４とミラー押えバネ７がグリップリング８によって固定されている。ロータボス６の下部には、ロータフレーム９がカシメにより固定され、ロータフレーム９の内周にはロータマグネット１０が固定されている。また、基板２には前記ロータマグネット１０と対向した位置にステータコイル１１が配置されている。
【０００４】
また、図４は、前記特許文献１に記載された別の従来のポリゴンミラースキャナモータを示すものである。ポリゴンミラーを固定する前段階でのロータボスの外周部への傷によるポリゴンミラーの平面度の悪化を防止するために、ロータボス外周部を一段下げてポリゴンミラーに接しない段部１２を設けているものである。
【０００５】
ポリゴンミラー４の側面には鏡面加工された複数のミラーが形成されている。そして、このミラー面は、光ビームの偏光走査を精度良く行うために、平面度が高精度に保たれている。
【０００６】
以上のように構成されたポリゴンミラースキャナモータは、ステータコイル１１に供給された電流により発生する磁界とロータマグネット１０との間で駆動力を発生させ、ポリゴンミラー４が回転することにより偏光走査を行う。
【特許文献１】特開平１１−１４９２８号公報（第３頁、図１、図２）
【発明の開示】
【発明が解決しようとする課題】
【０００７】
しかしながら、前記従来の構成では、ロータボス座面の平面度がポリゴンミラーを固定する前段階での組立工程によるダレ、変形などによって高精度に保たれていない場合、ジッタ、面倒れ特性に悪影響を及ぼすという課題があった。
【０００８】
以下に上記課題をより詳しく説明する。
【０００９】
図３及び図４に示す従来のポリゴンミラースキャナモータは、ポリゴンミラー４をロータボス６に固定する前段階で、前記ロータボス６と回転軸１を締結する焼きばめ工程、前記回転軸１を締結した後に前記ロータボス６とロータフレーム９をカシメにより固定する工程がある。
【００１０】
図５は、従来のポリゴンミラースキャナモータのロータボス座面の平面度をカシメ工程
前後で比較測定したグラフである。
【００１１】
図５において、横軸にモータＮｏ、縦軸にカシメ工程前後で測定した前記ロータボス座面の平面度をとると、前記ロータボス座面の平面度はカシメ後に悪化する傾向にあることが伺える。これにより、前記ロータボス座面の平面度とカシメ工程との関係が明白である。
本発明は、このような従来の課題を解決するものであり、ロータボス座面の平面度が高精度に保たれていない場合に発生するジッタ、面倒れ特性の悪化を防止することができるポリゴンミラースキャナモータを提供することを目的とする。
【課題を解決するための手段】
【００１２】
前記従来の課題を解決するために、本発明のポリゴンミラースキャナモータは、ロータボス座面の形状を内周から外周へ向けて高く構成したオフセット機能を有するテーパ形状とするようにしたものである。
【００１３】
ロータボス座面とカシメ工程との関係に着目した結果、以下のことが究明された。
【００１４】
図６は、従来のポリゴンミラースキャナモータのロータボス６とロータフレーム９をカシメにより固定した後のロータボス断面図である。
【００１５】
図６において、ロータボス座面６ａがカシメ前にフラットに形成されていることを前提とすると、カシメ後における前記ロータボス座面６ａは、外周から内周へ向けて高く変化する傾向にあることが伺える。これにより、前記ロータボス座面６ａのカシメ後に変化する形状が明白となった。この様に、回転軸１を締結した後にロータボス６とロータフレーム９をカシメにより固定する工程において、ロータボス座面６ａの平面度は一定の形状で悪化する傾向にあることが判明した。
【００１６】
従って、組立工程において発生する前記ロータボス座面のダレ、変形をあらかじめ考慮して補償する構造にすることによりロータボス座面の平面度を高精度に保つことができる。
【発明の効果】
【００１７】
本発明のポリゴンミラースキャナモータによれば、ロータボス座面にポリゴンミラーを固定する前段階での組立工程において発生するロータボス座面のダレ、変形などをあらかじめ考慮することによって、ロータボス座面の平面度を高精度に保ち、ジッタ、面倒れ特性の悪化を防止することができるという有利な効果が得られる。
【発明を実施するための最良の形態】
【００１８】
以下本発明を実施するための最良の形態について、図面を参照しながら説明する。
【００１９】
（実施の形態１）
図１は、本発明の実施の形態１におけるポリゴンミラースキャナモータのロータボス６とロータフレーム９をカシメにより固定する前のロータボス断面図である。
【００２０】
図１において、ポリゴンミラー４を搭載するロータボス座面６ａの形状は内周から外周へ向けて高く構成したオフセット機能を有するテーパ形状としている。前記図６の結果より、カシメ後におけるロータボス座面６ａの形状は外周から内周へ向けて一定の形状で高く変化する傾向にあることが伺える。従って、あらかじめ前記図６とは逆向きのオフセット機能を有するテーパ形状とすることにより、カシメ後の変形をキャンセルすることが可能となる。
【００２１】
図２は、本発明の実施の形態１におけるポリゴンミラースキャナモータのロータボス６とロータフレーム９をカシメにより固定した後のロータボス断面図である。
【００２２】
図２において、図１と同じ構成要素については同じ符号を用い、説明を省略する。
【００２３】
図２において、前記図１の構成とすることにより、カシメ工程において発生するロータボス座面６ａのダレ、変形をキャンセルし、前記ロータボス座面６ａの平面をフラットにすることが可能となる。
【００２４】
本発明の実施の形態１におけるポリゴンミラースキャナモータのロータボス座面６ａの平面度を、設計的にジッタ、面倒れ特性を満たすために必要なレベルである１μｍ以下であることを前提とすると、前記図５の結果より、前記ロータボス座面６ａの平面度を１μｍ以下にするためには、オフセット量を２μｍに設定する。
【００２５】
以上のように構成されたポリゴンミラースキャナモータでは、ロータボス６とロータフレーム９をカシメにより固定する際、前記ロータボス座面６ａをフラットな形状へとオフセットさせやすくするために、前記ロータボス６に設けられたカシメ部１３が前記ロータボス座面６ａの内周側に存在する必要がある。
【００２６】
上記実施の形態１より、ロータボス座面６ａを内周から外周へ向けて高く構成したオフセット機能を有するテーパ形状とすることにより、前記ロータボス座面６ａの平面度がポリゴンミラーを固定する前段階での組立工程によるダレ、変形などによって高精度に保たれていない場合に発生するジッタ、面倒れ特性の悪化を防止することができる。
【産業上の利用可能性】
【００２７】
本発明にかかるポリゴンミラースキャナモータは、ロータボス座面の平面度がポリゴンミラーを固定する前段階での組立工程によるダレ、変形などによって高精度に保たれていない場合に発生するジッタ、面倒れ特性の悪化を防止することが可能になるので、レーザービームプリンタや複写機等の用途に有用である。
【図面の簡単な説明】
【００２８】
【図１】本発明の実施の形態１におけるポリゴンミラースキャナモータのロータボスとロータフレームをカシメにより固定する前のロータボス断面図
【図２】本発明の実施の形態１におけるポリゴンミラースキャナモータのロータボスとロータフレームをカシメにより固定した後のロータボス断面図
【図３】第１の従来のポリゴンミラースキャナモータの断面図
【図４】第２の従来のポリゴンミラースキャナモータの断面図
【図５】従来のポリゴンミラースキャナモータのロータボス座面の平面度をカシメ工程前後で比較測定したグラフ
【図６】従来のポリゴンミラースキャナモータのロータボスとロータフレームをカシメにより固定した後のロータボス断面図
【符号の説明】
【００２９】
１  回転軸
２  基板
３  軸受
４  ポリゴンミラー
５  エッジ部
６  ロータボス
６ａ  ロータボス座面
７  ミラー押えバネ
８  グリップリング
９  ロータフレーム
１０  ロータマグネット
１１  ステータコイル
１２  段部
１３  カシメ部
【図１】
2006293203.tif 000003
【図２】
2006293203.tif 000004
【図３】
2006293203.tif 000005
【図４】
2006293203.tif 000006
【図５】
2006293203.tif 000007
【図６】
2006293203.tif 000008